(57)【特許請求の範囲】
【請求項１】
ゴルフバッグであって、
本体とショルダーストラップアセンブリとストラップガイドアセンブリとを備えており、
前記本体は、
頂端部および底端部を備えた略筒状であり、前記本体の長手方向に沿って伸びるスピナル軸を備えており、
前記ショルダーストラップアセンブリは、
第１ショルダーストラップおよび第２ショルダーストラップを備えており、
前記第１ショルダーストラップは、前記本体の前記頂端部近傍の第１位置において前記本体に取り付けられる上端部と、前記本体の前記頂端部および前記底端部の中間の第２位置において前記本体に取り付けられる下端部を有し、
前記第２ショルダーストラップは、前記本体の前記頂端部近傍の第３位置において前記本体に取り付けられる上端部と、前記本体の前記頂端部および前記底端部の中間の第４位置において前記本体に取り付けられる下端部を有しており、
前記ストラップガイドアセンブリは、
前記第２ショルダーストラップと前記本体との間に動作可能に取り付けられる弾性部材を含んでおり、その弾性部材が、前記第２ショルダーストラップの中間部分と前記本体の前記頂端部および前記底端部の中間の第５位置との間に引張力を加えるゴルフバッグ。
【請求項２】
前記弾性部材は、前記第２ショルダーストラップに前記第２ショルダーストラップの前記上端部および下端部の中間においてスライド可能に取り付けられている請求項１に記載のゴルフバッグ。
【請求項３】
前記弾性部材は、孔を有するシャックルに取り付けられ、前記第２ショルダーストラップは、前記シャックルの前記孔内を通過している請求項２に記載のゴルフバッグ。
【請求項４】
前記弾性部材はゴムひもである請求項１から３のいずれか一項に記載のゴルフバッグ。
【請求項５】
前記第１位置が前記スピナル軸の第１側に向かって横方向にオフセットされているとともに、前記第２位置が前記スピナル軸の前記第１側とは反対側の第２側に向かって横方向にオフセットされることによって、前記第１ショルダーストラップが前記スピナル軸を横切って斜め方向に伸びており、
前記第３位置が前記スピナル軸の第２側に向かって横方向にオフセットされているとともに、前記第４位置が前記スピナル軸の前記第１側に向かってオフセットされることによって、前記第２ショルダーストラップが前記スピナル軸を横切って斜め方向に伸びるとともに前記第１ショルダーストラップと交差する請求項１から４のいずれか一項に記載のゴルフバッグ。
【請求項６】
前記弾性部材は、前記第２ショルダーストラップを前記スピナル軸の前記第１側に向かって付勢する請求項５に記載のゴルフバッグ。
【請求項７】
前記弾性部材は、
前記第２ショルダーストラップが降ろされているとき、前記第２ショルダーストラップを前記スピナル軸の前記第１側に向かって移動させるために十分な強度を有しており、
前記第２ショルダーストラップが背負われているとき、前記第２ショルダーストラップの前記中間部分が実質的に直線状に伸びるために十分な柔軟性を有する請求項６に記載のゴルフバッグ。
【請求項８】
ゴルフバッグであって、
本体とショルダーストラップアセンブリと付勢手段とを備えており、
前記本体は、
頂端部および底端部を備えた略筒状であり、前記本体の長手方向に沿って伸びるスピナル軸を備えており、そのスピナル軸によって第１側および第２側に分割されており、
前記ショルダーストラップアセンブリは、
第１ショルダーストラップおよび第２ショルダーストラップを備えており、
前記第１ショルダーストラップは、前記本体の前記頂端部近傍に前記本体に前記第１側部側に向かってオフセットされて取り付けられている上端部を有し、
前記第２ショルダーストラップは、前記本体の前記頂端部近傍に前記本体に前記第２側部側に向かってオフセットされて取り付けられている上端部を有しており、
前記付勢手段は、
前記第２ショルダーストラップの中間部を前記第１側に向かって付勢するゴルフバッグ。
【請求項９】
前記付勢手段は、前記第２ショルダーストラップの前記上端部および前記下端部の中間にスライド可能に取り付けられているストラップガイドアセンブリを備える請求項８に記載のゴルフバッグ。
【請求項１０】
前記第１ショルダーストラップは、前記本体に前記第２側に向かってオフセットされて取り付けられている下端部をさらに備え、
前記第２ショルダーストラップは、前記本体の頂端部および底端部の中間において前記本体に前記第１側に向かってオフセットされて取り付けられている下端部をさらに備える請求項８又は９に記載のゴルフバッグ。
【請求項１１】
前記ストラップガイドアセンブリは、前記本体と前記第２ショルダーストラップとの間に動作可能に取り付けられる弾性部材を備える請求項９に記載のゴルフバッグ。
【請求項１２】
前記ストラップガイドアセンブリは、前記弾性部材と前記第２ショルダーストラップとの間に配置されるシャックルをさらに備える請求項１１に記載のゴルフバッグ。
【請求項１３】
前記弾性部材はゴムひもである請求項１２に記載のゴルフバッグ。
【請求項１４】
前記シャックルは、前記第２ショルダーストラップが通過している孔を有する請求項１３に記載のゴルフバッグ。
【請求項１５】
ゴルフバッグであって、
本体とショルダーストラップアセンブリと付勢手段とを備えており、
前記本体は、
頂端部および底端部を備えた略筒状であり、前記本体の長手方向に沿って伸びるスピナル軸を備えており、前記スピナル軸によって第１側および前記第１側と反対側の第２側に分割されており、
前記ショルダーストラップアセンブリは、
第１ショルダーストラップおよび第２ショルダーストラップを備えており、
前記第１ショルダーストラップは、前記本体の前記頂端部近傍の第１位置において前記本体に前記第１側に向かって横方向にオフセットされて取り付けられている上端部と、前記本体の前記頂端部および前記底端部の中間の第２位置において前記本体に前記第２側に向かってオフセットされて取り付けられている下端部を有し、
前記第２ショルダーストラップは、前記本体の前記頂端部近傍の第３位置において前記本体に前記第２側に向かってオフセットされて取り付けられている上端部と、前記本体の前記頂端部および前記底部の中間の第４位置において前記本体に前記第１側に向かってオフセットされて取り付けられている下端部を有し、
前記第１ショルダーストラップおよび前記第２ショルダーストラップが、各々、スピナル軸を横切って斜め方向に伸びており、
前記付勢手段は、
前記第２ショルダーストラップの中間部を前記第１側に向かって付勢するゴルフバッグ。
【請求項１６】
前記付勢手段は、前記第２ショルダーストラップに前記第２ショルダーストラップの前記上端部および前記下端部の中間においてスライド可能に取り付けられているストラップガイドアセンブリを備える請求項１５に記載のゴルフバッグ。
【請求項１７】
前記ストラップガイドアセンブリは、シャックルに取り付けられている弾性部材を備える請求項１６に記載のゴルフバッグ。
【請求項１８】
前記シャックルは、前記第２ショルダーストラップが通過している孔を有する請求項１７に記載のゴルフバッグ。
【請求項１９】
前記弾性部材はゴムひもである、請求項１７又は１８に記載のゴルフバッグ。
【請求項２０】
前記ストラップガイドアセンブリは、前記本体の前記頂端部および前記底端部の中間の位置に取り付けられている請求項１６から１９のいずれ一項に記載のゴルフバッグ。
【発明の詳細な説明】
【技術分野】
【０００１】
本出願は、２００７年１月１０日に出願された米国仮特許出願第６０／８８４，２５９号明細書の利益を主張する通常の特許出願である。
【０００２】
本発明は、概してゴルフ用品に関し、特にゴルフバッグ用ショルダーストラップアセンブリに関する。
【背景技術】
【０００３】
ゴルフコースでゴルフクラブを携行するために使用されるゴルフバッグは、通常、ゴルフバッグを一方の肩で支えるシングルショルダーストラップか、または、ゴルフバッグを両肩で支えるデュアルショルダーストラップ構成を有する。デュアルショルダーストラップ構成には、ゴルフバッグを比較的長い距離携行する場合に、ゴルフバッグの重量を両肩で支えることができ、さらに、パッティンググリーンを横切る等の短い距離の場合に、一方の肩で持ち運ぶことができるという利点がある。
【発明の開示】
【発明が解決しようとする課題】
【０００４】
ゴルファーは、デュアルショルダーストラップ構成を有するゴルフバッグを携行するために所定の位置まで持ち上げる場合、まず第１ショルダーストラップを自身の強い肩（通常、右利きのゴルファーの場合は右肩）の上に持ち上げ、その後、手を後ろに回して第２ストラップを把持し自身の他方の肩に掛ける。このとき、ゴルフバッグが間違った方向に引き上げられると、第２ストラップが、ゴルフバッグのゴルファーの体から最も離れた側に落ちることになり、第２ショルダーストラップを把持するために手を後ろに回すことがいくらか不便となることがある。
【課題を解決するための手段】
【０００５】
本発明は、本体とショルダーストラップアセンブリとを有するゴルフバッグからなる。本発明の例示的な実施形態によれば、ショルダーストラップアセンブリは第１ショルダーストラップを備えている。第１ショルダーストラップの上端部は本体のスピナル軸（背骨軸）の第１側に取り付けられ、下端部は本体のスピナル軸の反対側の第２側に取り付けられる。ゴルフバッグはまた、上端部および下端部が第１ショルダーストラップとは逆側に取り付けられる第２ショルダーストラップも有し、それにより、２つのショルダーストラップは本体のスピナル軸上で互いに交差する。例えば、ゴムひも等の弾性部材を備えるストラップガイドアセンブリが第２ショルダーストラップの中間部分に接続されることにより、第２ショルダーストラップをゴルフバッグの第１側に向かって付勢する。ゴルフバッグが所定位置に持ち上げられるとゴルフバッグの第１側がゴルファーにより近くなる。このため、第２ショルダーストラップをゴルフバッグの第１側に向かって付勢することにより、ゴルファーは、ゴルフバッグの第２側に手を伸ばす必要なく第２ショルダーストラップを迅速に把持することができる。
【実施例】
【０００６】
図１および図２を参照すると、ゴルフバッグ１０は、頂端部１２と、底端部１４と、頂端部１２と底端部１４との間を長手方向に伸びるスピナル軸１５と、を備える略筒状の本体１１を有する。本体１１の頂端部１２は、参照により本明細書に援用されるソルハイム（Ｓｏｌｈｅｉｍ）によるに開示されているものに類似するスロート構造１６を含む。本体１１の頂端部１２および底端部１４の近くに、ハンドル１８を設けてもよい。また、ゴルフバッグ１０には、本体１１に取り付けられるアクセサリポケット１９ａ、１９ｂが備え付けられていてもよい。
【０００７】
ゴルフバッグ１０は、第１ショルダーストラップ２０および第２ショルダーストラップ２２を含むショルダーストラップアセンブリ２５を含む。第１ショルダーストラップ２０は、本体１１の頂端部１２に近接する第１位置２６において本体１１に取り付けられる上端部２４を有する。第１ショルダーストラップ２０はまた、第２位置３０において本体１１に取り付けられる下端部２８を有する。第２位置３０は、頂端部１２から離間しており、本体１１の頂端部１２および底端部１４の中間である。第１ショルダーストラップ２０は、その上端部２４と下端部２８との間に細長いパッド２１を有する。特に図２を参照すると、第１位置２６はスピナル軸１５の第１側１７にあり、第２位置３０はスピナル軸１５の反対側の第２側２７に位置する。この第１位置２６および第２位置３０の向きにより、第１ショルダーストラップ２０が第１ショルダーストラップ２０の上端部２４と下端部２８との間でスピナル軸１５を横切る。
【０００８】
第２ショルダーストラップ２２は、第３位置３６および第４位置３８のそれぞれにおいて本体１１に取り付けられる上端部３２および下端部３４を有する。第２ショルダーストラップ２２は、その上端部３２と下端部３４との間に細長いパッド２３を有する。第３位置３６はスピナル軸１５の第２側２７にあり、第４位置３８はスピナル軸１５の第１側１７にある。第３位置３６および第４位置３８の向きにより、第２ショルダーストラップ２２は、その上端部３２と下端部３４との間でスピナル軸１５を横切り、かつ第１ショルダーストラップ２０も横切る。
【０００９】
第１ショルダーストラップ２０には、その下端部２８に、第１位置２６と第２位置３０との間で測定されるストラップ２０の全長を調整する調整装置４０が配置されている。同様に、第２ショルダーストラップ２２には、その下端部３４に、第３位置３６と第４位置３８との間で測定されるストラップ２２の全長を調整する調整装置４２が配置されている。調整装置４０，４２を利用することにより、要求に応じてショルダーストラップ２０，２２の全長を別々に調整することができる。調整装置４０，４２に加えて、またはその代わりに、ストラップ２０，２２の上端部２４，３２にさらなる調整装置（図示せず）を設けてもよい。ストラップ２０，２２の上端部２４，３２はそれぞれ、第１位置２６および第３位置３６においてスロート１６に形成される溝穴（図示せず）内に固定される。使用しない時に第１ショルダーストラップ２０および第２ショルダーストラップ２２の弛みを巻き取るために、スロート構造１６内にリトラクタ（図示せず）を組み込んでもよい。ストラップ２０，２２の下端部２８，３４は、第２位置３０および第４位置３８において本体１１に取り付けられるリング４４，４６を通して伸びる。あるいは、ストラップの下端部２８，３４を、本体１１の位置３０，３８に直接縫い付け、それによりリング４４，４６をなくしてもよい。
【００１０】
ゴルファーが第１ショルダーストラップ２０を一方の肩に掛け、第２ショルダーストラップ２２を他方の肩に掛けてゴルフバッグ１０を携行するとき、第１ショルダーストラップ２０および第２ショルダーストラップ２２は、実質的にゴルファーの両肩の間の中間である交差点４８において互いに交差するように配置される。これにより、ゴルフバッグ１０は、第１ショルダーストラップ２０および第２ショルダーストラップ２２によって均一に支持され、これはシングルストラップ構成に比較して非常に有利な点である。しかしながら、ゴルフバッグ１０をゴルファーの肩の上に引き上げる際に、ゴルフバッグ１０が第１ショルダーストラップ２０によって持ち上げられると、第２ショルダーストラップ２２は、図１において矢印Ａで示されるように、使用者から離れてスピナル軸１５の第２側２７に向かって落ちる可能性がある。第２ショルダーストラップ２２がこのように落ちる場合、ゴルファーが本体１１の周りに手を伸ばし第２ショルダーストラップ２２を把持することが不都合である可能性がある。
【００１１】
したがって、ゴルフバッグ１０は、第２ショルダーストラップ２２がゴルフバッグ１０の第２側２７に向かって落ちないようにするストラップガイドアセンブリ５０を含む。ストラップガイドアセンブリ５０は、ＡＢＳまたは同様の熱可塑性材料等の軽量材料で作製されるシャックル５２を備える。シャックル５２は、第２ショルダーストラップ２２の中間部分４８が通過している第１孔５４を有している。第２ショルダーストラップ２２は、ジャックル５２にスライド可能となっている。弾性部材５６は、一端５８において、シャックル５２に形成された第２孔６０に取り付けられている。また、弾性部材５６は、第２端６２において、スピナル軸１５の第１側１７において本体１１の頂端部１２から底端部１４に向かって離間している第５位置６４に取り付けられる。弾性部材５６は、第２ショルダーストラップの中間部分４８において、ジャックル５２を介してスライド可能となっている。弾性部材５６は、ばね、ばねリトラクタまたは他の同様の装置等、いかなる従来の弾性手段であってもよい。例示する実施形態では、弾性部材５６は、ゴムひもを含む。このゴムひもは、第２ショルダーストラップ２２が降ろされているとき、第２ショルダーストラップ２２を第１側１７に向かって付勢するための十分な弾力性を有し、かつ、第２ショルダーストラップ２２が背負われているとき、第２ショルダーストラップ２２が第３位置３６から使用者の肩まで実質的に直線状に伸びることを可能するための十分な長さを有する。弾性部材５６は、第２ショルダーストラップ２２の中間部分４８と第５位置６４との間に引張力を加える。
【００１２】
本明細書では、いくつかの例示的な実施形態および方法について開示したが、当業者には、上記開示から、本発明の精神および範囲から逸脱することなく、かかる実施形態および方法の変形および変更を行ってもよい、ということが明らかとなろう。たとえば、外部ストラップガイドの代りに、内部補強材によって第２ストラップを第１側に向かって付勢してもよい。したがって、本発明は、添付の特許請求の範囲および適用可能な法律の規則および原理によって要求される範囲のみに限定されるべきである、ということが意図されている。
【図面の簡単な説明】
【００１３】
【図１】本発明の特徴を組み込んだゴルフバッグの斜視図である。
【図２】図１に示すゴルフバッグの拡大斜視図である。
【符号の説明】
【００１４】
１０：ゴルフバッグ
１１：本体
１２：頂端部
１４：底端部
１５：スピナル軸
１６：スロート構造
１７：第１側
１８：ハンドル
１９ａ、１９ｂ：アクセサリポケット
２０：第１ショルダーストラップ
２１、２３：パッド
２２：第２ショルダーストラップ
２４、３２：上端部
２６：第１位置
２７：第２側
２８、３４：下端部
３０：第２位置
３６：第３位置
３８：第４位置
４０、４２：調整装置
４４、４６：リング
５０：ストラップガイドアセンブリ
５２：シャックル
５４：第１孔
５６：弾性部材
６０：第２孔
６４：第５位置
【図１】
0005103192.tif 000002
【図２】
0005103192.tif 000003